(57)【要約】【課題】新計算機システムの性能計算シミュレーション試験の動作検証を効率よく実施できるようにした性能計算試験結果検証システムを得る。【解決手段】既設計算機システム１より所定の負荷帯での時系列のプラントデータ及び性能計算結果データが入力され、この入力されたデータを、データ変換部４によって新計算機システム６が認識可能なデータに変換し、性能計算各負荷帯データファイル８に保存するとともに、変換されたプラント時系列データを新計算機システム６に設定すると、新計算機システム６は、このデータを用いて性能計算シミュレーション試験を実施し、その試験結果を、シミュレーション結果検証部９が、既設計算機システム１より入力された性能計算結果データと比較し、差異をプリンタ１０から出力するようにした。【選択図】図３
2013222415.tif 000002
【特許請求の範囲】
【請求項１】
既設計算機システムより、所定の負荷帯での時系列のプラントデータ及びこれに対応する性能計算結果データを入力するデータ入力部、
このデータ入力部に入力された上記プラントデータ及び上記性能計算結果データを、新計算機システムが認識可能なデータに変換し、データベースに保存するデータ変換部、
このデータ変換部により変換された上記プラントデータを新計算機システムへ入力させる性能計算用入力データ処理部、
この性能計算用入力データ処理部により入力された上記プラントデータに基づいて、上記新計算機システムにより性能計算シミュレーション試験を行った場合の試験結果データを受信する性能計算結果データ受信部、
及びこの性能計算結果データ受信部が受信した試験結果データと、上記データベースに保存された上記既設計算機システムより入力された性能計算結果データとを比較し、差異を出力するシミュレーション結果検証部を備えたことを特徴とする性能計算試験結果検証システム。
【請求項２】
プリンタを備え、
上記シミュレーション結果検証部の出力は、上記プリンタから取出されることを特徴とする請求項１記載の性能計算試験結果検証システム。
【請求項３】
パソコンを備え、
上記シミュレーション結果検証部の出力は、上記パソコンから取出されることを特徴とする請求項１記載の性能計算試験結果検証システム。
【請求項４】
携帯情報端末を備え、
上記シミュレーション結果検証部の出力は、上記携帯情報端末から取出されることを特徴とする請求項１記載の性能計算試験結果検証システム。
【請求項５】
上記性能計算結果データ受信部によって受信された上記新計算機システムによる性能計算シミュレーション試験結果データと、上記データベースに保存された上記既設計算機システムより入力された性能計算結果データとをトレンドグラフ上に重ね合わせて表示するデータ重ね合わせ処理部を備えたことを特徴とする請求項１〜請求項４のいずれか一項記載の性能計算試験結果検証システム。
【発明の詳細な説明】
【技術分野】
【０００１】
この発明は、新計算機システムが監視制御するプラントの性能を模擬的に計算する性能計算シミュレーション試験に使用されるプラント入力データを模擬し、これを用いた性能計算シミュレーション試験の結果を検証する性能計算試験結果検証システムに関するものである。
【背景技術】
【０００２】
従来、新計算機システムの性能計算シミュレーション試験は、既設計算機システムの性能計算印字結果等から手作業にて性能計算に必要なプラント入力データを拾い出し、データ設定機能にてプラント入力データを模擬し、性能計算の試験検証を行っている。
【先行技術文献】
【特許文献】
【０００３】
【特許文献１】特開平９−１６７００８号公報（第５〜６頁、図１）
【発明の概要】
【発明が解決しようとする課題】
【０００４】
従来の新計算機システムの性能計算シミュレーション試験は、前述のように実施しているので、性能計算試験経験者の専門的知識が必要であり、その試験データ製作には多大な時間と費用を費やしているという問題があった。
このため、特許文献１には、所定時間分のプラント状態量のデータの平均値を求め、この平均値を用いて、プラントの性能計算を行うものが記載されている。
しかしながら、特許文献１には、性能計算結果の検証についての記載はなかった。
新計算機システムでの性能計算シミュレーション試験結果の妥当性を検証することは容易ではなく、プラントの各種データ印字結果をもとに比較・検証を行うため、時間を要するものであった。
また、新計算機システムの性能計算シミュレーション試験において、既設計算機のプラント運転時の時系列性能計算結果データと新計算機システムのシミュレーション性能計算結果を比較し、差異を視覚的に認識することができないという問題があった。
【０００５】
この発明は、上述のような課題を解決するためになされたものであり、新計算機システムの性能計算シミュレーション試験の動作検証を効率よく実施できるようにした性能計算試験結果検証システムを得ることを目的とする。 
【課題を解決するための手段】
【０００６】
この発明に係わる性能計算試験結果検証システムにおいては、既設計算機システムより、所定の負荷帯での時系列のプラントデータ及びこれに対応する性能計算結果データを入力するデータ入力部、このデータ入力部に入力されたプラントデータ及び性能計算結果データを、新計算機システムが認識可能なデータに変換し、データベースに保存するデータ変換部、このデータ変換部により変換されたプラントデータを新計算機システムへ入力させる性能計算用入力データ処理部、この性能計算用入力データ処理部により入力されたプラントデータに基づいて、新計算機システムにより性能計算シミュレーション試験を行った場合の試験結果データを受信する性能計算結果データ受信部、及びこの性能計算結果データ受信部が受信した試験結果データと、データベースに保存された既設計算機システムより入力された性能計算結果データとを比較し、差異を出力するシミュレーション結果検証部を備えたものである。
【発明の効果】
【０００７】
この発明によれば、既設計算機システムより、所定の負荷帯での時系列のプラントデータ及びこれに対応する性能計算結果データを入力するデータ入力部、このデータ入力部に入力されたプラントデータ及び性能計算結果データを、新計算機システムが認識可能なデータに変換し、データベースに保存するデータ変換部、このデータ変換部により変換されたプラントデータを新計算機システムへ入力させる性能計算用入力データ処理部、この性能計算用入力データ処理部により入力されたプラントデータに基づいて、新計算機システムにより性能計算シミュレーション試験を行った場合の試験結果データを受信する性能計算結果データ受信部、及びこの性能計算結果データ受信部が受信した試験結果データと、データベースに保存された既設計算機システムより入力された性能計算結果データとを比較し、差異を出力するシミュレーション結果検証部を備えたので、新計算機システムの性能計算シミュレーション試験の動作検証を効率よく実施することができる。
【図面の簡単な説明】
【０００８】
【図１】この発明の実施の形態１による性能計算試験結果検証システムの構成を示すブロック図である。
【図２】この発明の実施の形態１による性能計算試験結果検証システムの動作を示すフローチャートである。
【図３】この発明の実施の形態２による性能計算試験結果検証システムの構成を示すブロック図である。
【図４】この発明の実施の形態２による性能計算試験結果検証システムの動作を示すフローチャートである。
【図５】この発明の実施の形態３による性能計算試験結果検証システムの構成を示すブロック図である。
【図６】この発明の実施の形態４による性能計算試験結果検証システムの構成を示すブロック図である。
【図７】この発明の実施の形態５による性能計算試験結果検証システムの構成を示すブロック図である。
【図８】この発明の実施の形態５による性能計算試験結果検証システムの動作を示すフローチャートである。
【発明を実施するための形態】
【０００９】
実施の形態１．
以下、この発明の実施の形態１を図に基づいて説明する。
図１は、この発明の実施の形態１による性能計算試験結果検証システムの構成を示すブロック図である。
図１において、既設計算機システム１は、監視制御の対象とするプラントの性能計算をすでに行い、記録データとして保持している既設の計算機システムである。既設計算機システム処理部２は、プラント時系列データとこれに対応する性能計算結果を取り出し、試験装置２０に送信する。
【００１０】
性能計算試験結果検証システムを形成する試験装置２０は、計算機によって次のように構成されている。
プラント時系列データ入力部３（データ入力部）は、既設計算機システム処理部２から、ＲＳ−２３２Ｃケーブル等を介して、任意の負荷帯で時系列のプラントデータ及び性能計算結果データが入力される。データ変換部４は、プラント時系列データ入力部３に入力された時系列のプラントデータ及び性能計算結果データを新計算機システム６が認識できるデータ形式に変換する。性能計算各負荷帯データファイル８は、データ変換部４で変換済みの時系列のプラントデータ及び性能計算結果データを任意に保存する。
【００１１】
新計算機システム用性能計算入力データ処理部５（性能計算用入力データ処理部）は、データ変換部４で変換済みのプラント時系列データを用いて、新計算機システム６の性能計算シミュレーション試験用のデータを生成し、ＬＡＮを介して新計算機システム６に送信する。新計算機システム用性能計算結果データ処理部７（性能計算結果データ受信部）は、新計算機システム６によるプラントの性能計算シミュレーション試験結果を、新計算機システム６からＬＡＮを介して受信し、性能計算各負荷帯データファイル８に保存する。
なお、新計算機システム６は、既設計算機システムとは異なるプラントを監視制御の対象としている。
【００１２】
次に、動作について説明する。
既設計算機システム１が保存している記録データは、各負荷帯における性能計算に使用される入力プラントデータ及びその性能計算結果である。その記録データを試験装置２０がＲＳ−２３２Ｃケーブル等を介して試験装置２０内に取り込み、各負荷帯毎に新計算機システム６が認識できるデータ形式にデータ変換部４により変換し、性能計算各負荷帯データファイル８に保存する。
【００１３】
試験装置２０は、新計算機システム６にＬＡＮ等を介して接続され、性能計算各負荷帯データファイル８に保存されたプラント時系列データを新計算機システム６に送信する。この送信データは、新計算機システム６内での性能計算シミュレーション試験に使用される。
試験装置２０は、新計算機システム６内で実施された性能計算シミュレーション試験結果をＬＡＮ等を介して、試験装置２０内に取り込み、性能計算各負荷帯データファイル８に保存する。
【００１４】
以下に、試験装置２０の動作について、さらに詳しく図２のフローチャートを用いて説明する。
ステップＳ１で、既設計算機システム１より、所定の負荷帯のプラント時系列データ及び対応する性能計算結果データを取り込むかどうかを判断する。これらのデータを取り込める状態であれば、ステップＳ２で、既設計算機システム処理部２からプラント時系列データ及び対応する性能計算結果データを入力する。
入力されたプラント時系列データ及び性能計算結果データは、ステップＳ３で、新計算機システム６にて認識できるデータ形式に変換する。変換したプラント時系列データ及び性能計算結果データをステップＳ４で、性能計算各負荷帯データファイル８に保存する。
ステップＳ１で、既設計算機システム１よりデータを取り込める状態でなければ、ステップＳ７で、性能計算各負荷帯データファイル８に試験に該当する負荷帯データがあるかどうかを判断し、あれば、ステップＳ５に行き、なければ処理を終える。
【００１５】
ステップＳ５では、ステップＳ４で性能計算各負荷帯データファイル８に保存したプラント時系列データ、またはステップＳ７で試験に該当すると判断した性能計算各負荷帯データファイル８の所定の負荷帯のプラント時系列データを、新計算機システム用性能計算入力データ処理部５が、新計算機システム６に設定する。
新計算機システム６は、ステップＳ５で渡されたプラント時系列データを基にして、性能計算シミュレーション試験を実施する。
ステップＳ６で、新計算機システム６の性能計算シミュレーション試験結果が新計算機システム用性能計算結果データ処理部７に入力され、新計算機システム用性能計算結果データ処理部７は、性能計算シミュレーション試験結果を性能計算各負荷帯データファイル８に保存する。
【００１６】
実施の形態１によれば、新計算機システムの性能計算シミュレーション試験データの自動生成が行われ、既設計算機システムのプラント時系列データによる新計算機システムでの自動性能計算シミュレーション試験が実現できるようになる。
【００１７】
実施の形態２．
図３は、この発明の実施の形態２による性能計算試験結果検証システムの構成を示すブロック図である。
図３において、１〜８、２０は図１におけるものと同一のものである。図３では、性能計算各負荷帯データファイル８を元にして、既設計算機システム１での性能計算結果と、新計算機システム６での性能計算シミュレーション試験結果とを比較検証するシミュレーション結果検証部９を設け、プリンタ１０により差異を評価結果（検証結果）として印字出力するようになっている。
【００１８】
実施の形態１では、既設計算機システム１のプラント時系列データを基に新規計算機システム６にて使用する性能計算シミュレーション試験データを自動生成する点について述べたが、実施の形態２は、図３に示すように、新計算機システム６の性能計算シミュレーション試験結果を検証できるようにする。このため、プリンタ１０により、既設計算機システム１の性能計算結果と、新プラント計算機システム６にて実施した性能計算シミュレーション試験結果との差異を印字する。
【００１９】
次に、実施の形態２による試験装置２０の動作について、図４のフローチャートを用いて説明する。
図４のステップＳ１〜Ｓ７は図２におけるものと同一の処理であり、その説明を省略する。図４では、ステップＳ６につづく処理として、ステップＳ８を設けている。
ステップＳ８では、既設計算機システム１での該当する負荷帯の性能計算結果と、新計算機システム６での性能計算シミュレーション試験結果とを比較検証し、差異をプリンタ１０から印字出力する。
図３の例では、印字出力結果として、ボイラ効率、タービン効率、発電端効率について、既設計算機システムと新計算機システムによる性能計算の差分を計算し、出力している。
これにより、検証を効率よく実施することができる。
【００２０】
実施の形態２によれば、既設計算機システムの性能計算結果と、新計算機システムで実施した性能計算シミュレーション試験結果の差異が印字できるようになり、性能計算シミュレーション試験結果の検証を効率良く行うことができる。
【００２１】
実施の形態３．
図５は、この発明の実施の形態３による性能計算試験結果検証システムの構成を示すブロック図である。
図５において、１〜９、２０は図３におけるものと同一のものである。汎用パソコン１１は、評価データの出力を行う。
【００２２】
実施の形態２は、図５に示すように、シミュレーション結果検証部９の出力先を、汎用パソコン１１とし、汎用パソコン１１によって評価データを表示させるようにした。
【００２３】
実施の形態２によれば、外部出力装置をプリンタではなく、汎用パソコンとすることで、性能計算シミュレーション試験結果について、既設計算機システムの性能計算結果との差異の検証をより効率的に行うことが可能となる。
【００２４】
実施の形態４．
図６は、この発明の実施の形態４による性能計算試験結果検証システムの構成を示すブロック図である。
図６において、１〜９、２０は図３におけるものと同一のものである。携帯情報端末１２は、評価データの出力を行う。
【００２５】
実施の形態３は、図６に示すように、シミュレーション結果検証部９の出力先を、携帯情報端末１２とし、携帯情報端末１２によって評価データを表示させるようにした。
【００２６】
実施の形態３によれば、外部出力装置をプリンタではなく、携帯情報端末とすることで、性能計算シミュレーション試験結果について、既設計算機システムの性能計算結果との差異の確認を任意の場所で行うことが可能となる。
【００２７】
実施の形態５．
図７は、この発明の実施の形態５による性能計算試験結果検証システムの構成を示すブロック図である。
図７において、１〜１０、２０は図３におけるものと同一のものである。図７では、既設計算機システム１での該当する負荷帯の性能計算結果と、既設計算機システム１の性能計算結果と新計算機システム６の性能計算シミュレーション試験結果とのシミュレーション結果検証部９による比較処理を受けて、両データをトレンドグラフ上で重ね合わせる処理を行うデータ重ね合わせ処理部１３を設けている。ツール搭載パソコン１４は、両データが重ね合わされたトレンドグラフを表示する。
【００２８】
実施の形態２では、既設計算機システム１の性能計算結果と新計算機システム６の性能計算シミュレーション試験結果の差異の印刷結果を参照して、性能計算シミュレーション試験結果を検証する場合について述べたが、実施の形態５は、図７に示すように、データ重ね合わせ処理部１３を追加している。
シミュレーション結果検証部９から、新計算機システム６で時系列にシミュレーションした結果である性能計算シミュレーション試験結果と、該当する負荷帯の既設計算機システム１のプラント時系列の性能計算結果データとを受けて、データ重ね合わせ処理部１３により、両結果データをトレンドグラフ上で重ね合わせる処理を行う。
なお、図７のツール搭載パソコン１４は、表示出力とプリンタ出力を併せ持つものとする。
【００２９】
次に、実施の形態５の試験装置２０の動作について、図８のフローチャートを用いて説明する。
図８のステップＳ１〜Ｓ７は図２における処理と同一の処理であり、その説明を省略する。
ステップＳ６につづくステップＳ９では、既設計算機システム１の性能計算結果と新計算機システム６の時系列の性能計算シミュレーション試験結果とを比較した結果を基にして、両結果データの重ね合わせ処理を行い、自動データ生成ツールが搭載されているツール搭載パソコン１４でトレンドグラフ表示を行う。
【００３０】
実施の形態５によれば、既設計算機システムのプラント時系列の性能計算結果データと新計算機システムの性能計算シミュレーション試験にて時系列でシミュレーションした結果とを重ね合わせ表示することで、既設計算機システムの性能計算結果と新計算機システムの性能計算シミュレーション試験結果の差異を視覚的に見ることができる。
【００３１】
なお、本発明は、その発明の範囲内において、各実施の形態を自由に組み合わせたり、各実施の形態を適宜、変形、省略することが可能である。
【符号の説明】
【００３２】
１  既設計算機システム
２  既設計算機システム処理部
３  性能計算結果プラント時系列データ入力部
４  データ変換部
５  新計算機システム用性能計算入力データ処理部
６  新計算機システム
７  新計算機システム用性能計算結果データ処理部
８  性能計算各負荷帯データファイル
９  シミュレーション結果検証部
１０  プリンタ
１１  汎用パソコン
１２  携帯情報端末
１３  データ重ね合わせ処理部
１４  ツール搭載パソコン
２０  試験装置
【図１】
2013222415.tif 000003
【図２】
2013222415.tif 000004
【図３】
2013222415.tif 000005
【図４】
2013222415.tif 000006
【図５】
2013222415.tif 000007
【図６】
2013222415.tif 000008
【図７】
2013222415.tif 000009
【図８】
2013222415.tif 000010